(57)【要約】      （修正有）【課題】突然の降雨時に於いて、即対応可能な携帯長靴が必要と推測される。また、保管する場合にも形態をコンパクトにする必要がある。形態をコンパクト化し、軽量で且つワンタッチで脱着・収納を可能にする長靴を提供する。【解決手段】靴に折紙のねじり込み方法に基づく折り目を入れることにより、ワンタッチで長靴の伸縮操作を容易にし、使用時には素材の弾性力を活用、保管時には筒部の先端を押し下げ、縮んだ状態を保持可能にする。【選択図】図４
0003163898.tif 000002
【実用新案登録請求の範囲】
【請求項１】
長靴の脛部に折り目を付け、長靴を折り目に沿って捩じりながら荷重を掛けることにより、ワンタッチで脛部を座屈させることを特徴とするワンタッチ伸縮携帯長靴。
【請求項２】
前記座屈した状態で長靴の脛部の上端を反り返らせることにより、最終的に縮んだ状態を保持させることを特徴とする請求項１記載のワンタッチ伸縮携帯長靴。       
【請求項３】
前記長靴のつま先から踵に至る長靴の甲部と底部の接地部の間の側面をジャバラ型に折りたたみ可能とした請求項１又は請求項２記載のワンタッチ伸縮携帯長靴。
−１−
【考案の詳細な説明】
【技術分野】
【０００１】
本考案は、長靴の脛部を圧縮する事により、ワンタッチで伸縮可能な状態を保持し、携帯及管を容易にした長靴を提供することにある。
【背景技術】
【０００２】
突然の降雨時に即対応可能なコンパクトな携帯用超軽量長靴に関して、過去10年間の特許及び実用新案を調査した。その調査結果、公知例として、携帯用長靴に関する５件の文献が掲載されていた。
【先行技術文献】
【特許文献】
【０００３】
【特許文献１】登録実用新案第３１１６６８７号登
【特許文献２】特許公開  ２００２−２３８６０４
【特許文献３】登録実用新案第３０８９５９１号
【特許文献４】特許公開  ２００６−６１７１８
【特許文献５】登録実用新案第３１３３８４１号
【考案の概要】
【考案が解決しようとする課題】
【０００４】
上記文献１は長靴の脛上部を絞ってずれを防ごうとしているが歩行中にずれ易く、又、二つ折りにたたむ形態だが、嵩張って携帯には不便である。文献２，文献３，文献４，文献５は長靴本体というよりは短靴の上から裾濡れ防止の為に履くカバー的要素の長靴である。従って、本考案では、携帯使用及び保管スペースの簡易化を一体化し考える時、着用時にワンタッチで伸縮し、使用後は簡単に折りたたんだ状態を保持することができ、又着用時には折り目が脛部に当たってフィットすることにより、前述の欠点を解決しようとするものである。
【課題を解決するための手段】
【０００５】
請求項１に対する解決の手段として、本考案は、長靴の脛部に折り目を付け、長靴を折り目に沿って捩じりながら荷重を掛けることにより、ワンタッチで脛部を座屈させことにより問題点を解決している。
【０００６】
請求項２に対する解決の手段として、本考案は、圧縮した状態で長靴の脛部の上端を反り返らせることにより、最終的に縮んだ状態を保持させることにより問題点を解決している。
【０００７】
請求項３に対する解決の手段として、本考案は、つま先から踵に至る長靴の甲部と底部の接地部の間の側面をジャバラ型に折りたたむことにより問題点を解決している。
【考案の効果】
【０００８】
折紙のねじり込み方法を活用することにより、伸縮操作が容易で突然の降雨時に於いて、瞬時に使用できるのは勿論、使用後もコンパクトに収納が可能になり,また着用時フィットし易い。
【図面の簡単な説明】
【０００９】
【図１】本考案の折りたたみ前の側面状態を表す。
【図２】図１を折り目に沿って捩じりながら縮めさせていく途中の形状を表す。
【図３】図１を折り目に沿って捩じりながら縮めさせ、縮めの最終状態を表す。
【図４】図３から脛部上端開口部を反り返らせ更に押し下げた位置を保持している状態を表す。
【図５】円筒部を伸縮させる為の一点鎖線山折、鎖線谷折線を表す展開図である。
【図６】つま先から踵に至る長靴底部の側面のジャバラが折りたたみを保持した状態を表す。
【図７】長靴に足を入れた使用中の状態を表す。
【図８】図６に対する正面図
【図９】長靴に短靴を履いた状態で使用中の状態を表す。
【図１０】図４に対応した参考写真
【図１１】図２に対応した参考写真
【考案を実施するための形態】
【００１０】
以下、本考案の実施の形態を実施例1から３の記載に従って説明する。
【実施例】
【００１１】
図1は、本考案の折りたたみ前の形態であり、長靴の脛部に、図５に示す折り目をつける。折り目は一点鎖線山折り、鎖谷折であり、試作例として、長靴脛の上部直径Da、下部直径Db及び高さHaが 7：５：１０ 且つ折り曲げを５箇所の場合には、谷折αの角度は通常は約６０度、山折の角度βは通常は約４０度。但し、各々の角度は素材の弾性、円筒の形状（上下口の直径の違い）により、折り目の数も変わる。線は最れ始め、最終的に図３に示す状態になり、更に上端を図４のように反り返らせると、図４の高さHcの高さの位置で固定する。図６と図８は甲部と底部の中央を“く”の字状のジャバラ形に押しつぶして、図6、図８の状態にすると足先部更にコンパクトになる。これを使用する時、図７に示すように長靴に足を入れると、長靴の甲の部分３と底部５及び脛部前面８と後部９で押さえられ甲部及び脛部は折れ癖によりフィットする。図10及び 図１１は上記を試作した参考写真である。
【００１２】
図９は以上示したものの改良型として、全体を大きくし、透明薄型オーバーレインシューズとして、透明硬質樹脂剤を薄手に形状化し、足元にフィットして、通常の紳士靴、婦人靴の上から履くことにより、降雨時でも本来のスタイルを損なうことなく通勤利用が可能である。
また、エコ型ワンタッチシューズとして、素材に特殊な耐水紙又は表面に耐水コーティングする事により、一度限りの使用を目的とする。この場合には、使用後は再生紙として処理できる使用目的としては、観光地に於ける降雨、降雪等に即時対応が可能である。
【符号の説明】
【００１３】
１   長靴脛部の上端
２   長靴の伸び縮みする部分の下端
３   長靴の甲の部分
４   つま先から踵に至る長靴底部の側面のジャバラ
５   長靴の底部
６   谷折の頂点
７   山折の頂点
８   長靴脛部の前面
９   長靴脛部の後面
α   谷折の折り曲げ角度
β   山折の折り曲げ角度
Ha   長靴を脱いだとき、脛部の折りたたみの下端２から上端１までの高さ
Hb   図１の状態から長靴を縮めさせ、縮めの最終状態に於いて、脛部の折りたたみの下端２から上端１までの高さ
Hc   図2の状態から長靴の脛部上端を下側にそり返した時、２から１までの高さ
Da   １の水平面に於ける直径
Db   ２の水平面に於ける直径
【図１】
0003163898.tif 000003
【図２】
0003163898.tif 000004
【図３】
0003163898.tif 000005
【図４】
0003163898.tif 000006
【図５】
0003163898.tif 000007
【図６】
0003163898.tif 000008
【図７】
0003163898.tif 000009
【図８】
0003163898.tif 000010
【図９】
0003163898.tif 000011
【図１０】
0003163898.tif 000012
【図１１】
0003163898.tif 000013